(57)【要約】【課題】  裾部の捲れ上がりを防止することができるインナーウェアを提供する。【解決手段】  インナーウェアは、各筒状編地の他端側における内股１２に対応する部分に配設され、裾部１４の下端１４ａから股部１１にかけて延在させ、筒状編地より剛性を高く形成される支持部３を備えている。【選択図】        図１
0003155830.tif 000002
【実用新案登録請求の範囲】
【請求項１】
丸編みで筒状に編んだ一対の筒状編地を用いて、当該各筒状編地の一端側におけるパンティに相当する部分を裁断し、当該裁断縁同士を付き合わせて縫着して一体化したインナーウェアにおいて、
前記各筒状編地の他端側における内股に対応する部分に配設され、裾部の下端から股部にかけて延在させ、前記筒状編地より剛性を高く形成される支持部を備えていることを特徴とするインナーウェア。
【請求項２】
前記請求項１に記載のインナーウェアにおいて、
前記支持部が、縫い目、当て縫い、添え糸編み又は接着芯地により形成されることを特徴するインナーウェア。
【請求項３】
前記請求項１又は２に記載のインナーウェアにおいて、
前記支持部が、略Ｖ字形状であることを特徴とするインナーウェア。
【考案の詳細な説明】
【技術分野】
【０００１】
この発明は、丸編みで筒状に編んだ一対の筒状編地を用いて、当該各筒状編地の一端側におけるパンティに相当する部分を裁断し、当該裁断縁同士を付き合わせて縫着して一体化したインナーウェアに関するものである。
【背景技術】
【０００２】
従来のインナーウェアにおいては、インナーウェアの内面部に編み組織の異なる凸部と凹部が互い違いに編成されており、各凹部は交互に深い凹部と浅い凹部に編成されている構成とする（例えば、特許文献１参照）。
【先行技術文献】
【特許文献】
【０００３】
【特許文献１】特開２００２−３３９１０７号公報
【考案の概要】
【考案が解決しようとする課題】
【０００４】
従来のインナーウェアは、ガードル本体が左右を分離した状態で丸編し、その後、内側辺部同志を縫着して接続することにより１つのガードルを構成するものであり、内股に対応する部分には縫合線等が存在しない編地である。このため、従来のインナーウェアは、着用者の歩行時の腿上げ等により、裾部が捲れ上がり易く、捲れ上がった部分による太股への圧迫により着用者に不快感を与えるというという課題があった。
この考案は、上述のような課題を解決するためになされたもので、裾部の捲れ上がりを防止することができるインナーウェアを提供することを目的とする。
【課題を解決するための手段】
【０００５】
この考案に係るインナーウェアにおいては、各筒状編地の他端側における内股に対応する部分に配設され、裾部の下端から股部にかけて延在させ、筒状編地より剛性を高く形成される支持部を備えているものである。
【０００６】
また、この考案に係るインナーウェアにおいては、必要に応じて、支持部が、縫い目、当て縫い、添え糸編み又は接着芯地により形成されるものである。
また、この考案に係るインナーウェアにおいては、必要に応じて、支持部が、略Ｖ字形状である。
【考案の効果】
【０００７】
この考案に係るインナーウェアにおいては、各筒状編地の他端側における内股に対応する部分に配設され、裾部の下端から股部にかけて延在させ、筒状編地より剛性を高く形成される支持部を備えていることにより、筒状編地が薄いベース生地であっても、支持部が筒状編地と比較して高い剛性を有するために、内股における裾部の捲れ上がりを防止することができる。
【０００８】
また、この考案に係るインナーウェアにおいては、必要に応じて、支持部が、縫い目、当て縫い、添え糸編み又は接着芯地により形成されることにより、裾部を裁断することなく、支持部を形成することができる。
【０００９】
また、この考案に係るインナーウェアにおいては、必要に応じて、支持部が、略Ｖ字形状であることにより、略Ｉ字形状の支持部に対して強度を高め、裾部の捲れ上がりをさらに防止することができる。
【図面の簡単な説明】
【００１０】
【図１】（ａ）は第１の実施形態に係るインナーウェアを右後方からみた右後側斜視図であり、（ｂ）は図１（ａ）に示すインナーウェアを右前方からみた右前側斜視図である。
【図２】（ａ）は図１に示すインナーウェアのパンティ部の内股及び股部における展開図であり、（ｂ）は第１の実施形態に係る他のインナーウェアのパンティ部の内股及び股部における展開図である。
【図３】（ａ）は部分的に編地を異ならせた図１に示すインナーウェアを右後方からみた右後側斜視図であり、（ｂ）は図３（ａ）に示すインナーウェアを右前方からみた右前側斜視図である。
【考案を実施するための形態】
【００１１】
（本考案の第１の実施形態）
図１及び図２において、インナーウェアは、丸編みで筒状に編み立てられるベース生地１の一端部を裁断し、この裁断した部分のうち股部１１となるベース生地１に股布２を当てて縫合される。なお、この第１の実施形態においては、ベース生地１は、伸縮性のある編地であり、平編、タック編、浮き編又はパイル編などで編成されてなる構成である。また、股布２は、ベース生地１の編地と比較して、編目間隔を同等又は変化させることで、同一又はそれ以上の伸縮性のある編地をなしており、例えば、ナイロン製の平編の下地に、表面を綿製のパイル地とすることで、通気性があり、インナーウェアの着用者に対する肌触りを良好にすることができる。また、ノンラン編で、ベース生地１同士並びにベース生地１及び股布２を縫合することにより、縫合線を薄い編地とすることができる。
【００１２】
インナーウェアは、縫製方法により以下の２つに分類される。
第１の縫製方法は、丸編機により筒状に編んだ１本の筒状編地を用いて、パンティ部１０の股部１１及び内股１２に相当する部分に切れ目を入れて裁断縁同士を前後で付き合わせて縫着してパンティ部１０の股部１１及び内股１２を形成するものである。
【００１３】
また、第２の縫製方法は、丸編機により筒状に編んだ一対（２本）の筒状編地を用いて、当該各筒状編地の一端側におけるパンティ部１０のパンティ１３に相当する部分に切れ目を入れて裁断縁同士を付き合わせて縫着して一体化したものである。この第２の縫製方法では、通常、パンティ部１０の内股１２に相当する部分に切れ目を入れず、内股１２に相当する部分の裁断縁同士を付き合わせて縫着する必要がない。
【００１４】
なお、この第１の実施形態に係るインナーウェアは、第２の縫製方法により製造される裾部１４を有するインナーウェアを対象とするものであり、以下、インナーウェアとして、パンティガードル１００を用いて説明する。
【００１５】
また、この第１の実施形態に係るパンティガードル１００においては、部分的な補強と機能向上のための編地、例えば、腹部を押さえる目的で前身頃１００ａに編成する部分的な編地やヒップを持ち上げる目的で後身頃１００ｂに編成する部分的な編地等は適宜選択することができ、ここでの図示及び説明は省略する。
【００１６】
パンティガードル１００は、着用者の腰を覆う部分であるパンティ１３と、パンティ部１０の上端をなすウエスト部１５と、パンティ部１０の下端をなす裾部１４と、着用者の股における添え生地である股布２をベース生地１に縫合し形成されるマチ部１６と、マチ部１６を包含し着用者の股に相当する股部１１とを備えている。なお、裾部１４及びウエスト部１５は、袋編に編立てるメークアップ（Ｍａｋｅ−ｕｐ）編成又は端始末不要のヘム（耳）により、開口部の処理が施されている。
【００１７】
支持部３は、各筒状編地の他端側における着用者の内股に対応する部分（内股１２）に配設され、裾部１４の下端１４ａから股部１１にかけて延在させ、筒状編地より剛性を高く形成される。特に、支持部３は、縫い目、当て縫い、添え糸編み又は接着芯地により形成される。
ここで、縫い目により形成される支持部３とは、裁断していない裾部１４に対して、例えば、２本針又は３本針のミシンによる縫い目により形成されるものである。
【００１８】
また、当て縫いにより形成される支持部３とは、裁断していない裾部１４に対して、補強する目的で別に当てる布地（当て布）等を当てて縫製することにより形成されるものである。
また、添え糸編みにより形成される支持部３とは、丸編みで筒状に編み立てられるベース生地１に他の編糸を添えて給糸して編み込んだ編地により形成されるものである。
【００１９】
さらに、接着芯地により形成される支持部３とは、裁断していない裾部１４に対して、例えば、ポリエステル系、ポリアミド系、ポリウレタン系、ポリエチレン系（高密度、低密度）又はエチレン酢酸ビニル系などの種類の樹脂からなる接着樹脂を、ドット加工、パウダー加工、くもの巣加工又はフィルム加工などの加工方法によって、裾部１４の編地に塗布し、フラット型プレス機、ローラー型プレス機などによって加熱及び加圧処理を施すことで、編地に樹脂を固着させることにより形成されるものである。
【００２０】
なお、本実施形態に係る支持部３は、縫い目により形成され、図２（ａ）に示すように、支持部３の一端３ａを裾部１４の下端１４ａに合わせ、支持部３の他端３ｂを裾部１４の上端１４ｂ近傍に合わせているが、この他端３ｂの位置に限られるものではない。これに対し、支持部３の長さは、短すぎると、支持部３における所望の剛性を確保できず、裾部１４の捲れ上がりを防止する効果が低く、長すぎると、支持部３とベース生地１との凹凸により着用者に違和感を与える。このため、支持部３の他端３ｂの位置は、裾部１４の厚さ、材質又は編地等に応じて適宜設定することが好ましい。
【００２１】
また、支持部３は、内股１２に配設されており、この位置に限られるものではないが、着用者の太股を周回する裾部１４のうち、内股１２において、裾部１４が捲れ上がり易い傾向にある。このため、支持部３は、少なくとも左右の内股１２のうち、各内股１２に複数並設させることが好ましく、各内股１２に一箇所配設させることがより好ましい。これに対し、パンティガードル１００は、各筒状編地の他端側における着用者の外腿に対応する部分に配設され、内股１２に配設される支持部３に対して略平行に裾部１４の下端１４ａから延在させ、筒状編地より剛性を高く形成される他の支持部３を備えることで、外腿における裾部１４の捲れ上がりを防止することができる。この他の支持部３は、内股１２に配設される支持部３と同様に、縫い目、当て縫い、添え糸編み又は接着芯地により形成される。
【００２２】
なお、着用者の太股の周方向に沿って、内股１２に配設される支持部３以外の複数の支持部３を裾部１４に配設させてもよいが、着用者への肌触りや製造工程の増加を考慮すると、裾部１４の捲れ上がりの防止に最も効果のある、内股１２のみに配設させることが好ましい。
【００２３】
また、支持部３は、図２（ｂ）に示すように、裾部１４の下端１４ａ側から上端１４ｂ側にかけて先細りとなる略Ｖ字形状や、図２（ｃ）に示すように、裾部１４の上端１４ｂ側から下端１４ｂ側にかけて先細りとなる略Ｖ字形状にすることが考えられる。この略Ｖ字形状は、裾部１４の下端１４ａ又は上端１４ｂの一部による一辺を含むことで、三角形を構成し、図２（ａ）に示す略Ｉ字形状の支持部３と比較して強度を高め、裾部１４の捲れ上がりをさらに防止することができる。
【００２４】
なお、図１及び図２に示すパンティガードル１００は、部分的な補強と機能向上のための編地の図示を省略しているが、例えば、図３に示すように、腹部を押さえる目的で前身頃１００ａに編成する三段階の強度の編地（強編地４ａ＞中編地４ｂ＞弱編地４ｃ）やヒップを持ち上げる目的で後身頃１００ｂに編成する三段階の強度の編地（強編地５ａ＞中編地５ｂ＞弱編地５ｃ）を有してもよい。
【００２５】
この図３に示すパンティガードル１００においては、ヒップを持ち上げる目的である編地（強編地５ａ、中編地５ｂ、弱編地５ｃ）により、内股１２における裾部１４にウエスト部１５側への強い引張力が生じ、裾部１４が捲れ上がり易い。このため、図３に示すパンティガードル１００の内股１２に支持部３を配設することは、裾部１４の捲れ上がりを防止するうえで、優れた作用効果を奏する。
【符号の説明】
【００２６】
１      ベース生地
２      股布
３      支持部
３ａ    一端
３ｂ    他端
４ａ，５ａ    強編地
４ｂ，５ｂ    中編地
４ｃ，５ｃ    弱編地
１０    パンティ部
１１    股部
１２    内股
１３    パンティ
１４    裾部
１４ａ  下端
１４ｂ  下端
１５    ウエスト部
１６    マチ部
１００  パンティガードル
１００ａ  前身頃
１００ｂ  後身頃
【図１】
0003155830.tif 000003
【図２】
0003155830.tif 000004
【図３】
0003155830.tif 000005